(57)【特許請求の範囲】
【請求項１】
干渉電子顕微鏡であって、
電子源と、
前記電子源から放出された電子を所定の速度からなる電子線とする加速管と、
前記電子線を試料に照射する、少なくとも１つの電子レンズからなる照射レンズ系と、
前記試料を保持する試料保持部と、
前記試料の像を結像する少なくとも１つの電子レンズからなる対物レンズ系と、
前記対物レンズ系により結像された試料の像を拡大結像もしくは縮小結像する、少なくとも１つの電子レンズからなる結像レンズ系と、
前記結像レンズ系による前記試料の像を観察する観察面と、
前記観察面上に結像された前記試料の像を観察もしくは記録する観察記録系と、
前記加速管と前記照射レンズ系との間に設置された第１の電子線バイプリズムと、
前記加速管と前記第１の電子線バイプリズムとの間に設置されたマスクを備え、
前記対物レンズ系もしくは前記結像レンズ系に少なくとも１つの電子線バイプリズムを有しており、
前記マスクにより前記電子線が第１の電子線と第２の電子線に分離され、
前記照射レンズ系の光学作用により、前記試料の位置する前記対物レンズ系の物面上における前記第１の電子線と前記第２の電子線の電流密度が制御され、
前記照射レンズ系の光学作用により、前記第１の電子線バイプリズムと前記試料の位置する前記対物レンズ系の物面との電子光学上の距離が制御されるとともに、
前記照射レンズ系の光学作用により、前記マスクが前記対物レンズ系の物面に結像され、
前記試料の位置する、前記対物レンズ系の物面上において互いに異なる第１の領域と第２の領域を照射し、
前記第１の電子線バイプリズムによる前記電子線への偏向作用、もしくは前記照射レンズ系による前記第１の電子線と前記第２の電子線への光学作用とにより、前記第１の領域と前記第２の領域との位置が制御され、
前記第1の電子線と前記第２の電子線とが前記対物レンズ系もしくは前記結像レンズ系に備えられた電子線バイプリズムにより前記観察面上において重畳され、
前記観察面上の前記第1の電子線と前記第２の電子線との重畳領域が前記観察記録系により観察もしくは記録される
ことを特徴とする干渉電子顕微鏡。
【請求項２】
請求項１に記載の干渉電子顕微鏡であって、
前記第１の電子線バイプリズムが、前記マスクがつくる影の空間に配される
ことを特徴とする干渉電子顕微鏡。
【請求項３】
請求項１または２に記載の干渉電子顕微鏡であって、
前記対物レンズ系もしくは前記結像レンズ系に備えられた電子線バイプリズムが、前記マスクがつくる影の空間に配される
ことを特徴とする干渉電子顕微鏡。
【請求項４】
請求項１乃至３のいずれか１項に記載の干渉電子顕微鏡であって、
前記第１の電子線バイプリズムと、前記対物レンズ系もしくは前記結像レンズ系に備えられた電子線バイプリズムとが、光軸を含む電子光学上同一平面内において、前記第１の電子線と前記第２の電子線を偏向させる
ことを特徴とする干渉電子顕微鏡。
【請求項５】
請求項１乃至４のいずれか１項に記載の干渉電子顕微鏡であって、
前記第１の電子線バイプリズムと前記対物レンズ系もしくは前記結像レンズ系に備えられた電子線バイプリズムとによる前記第１の電子線と前記第２の電子線への偏向作用により、
前記観察面上に構成された前記重畳領域内に前記観察記録系により観察もしくは記録可能な電子線干渉縞が構成される
ことを特徴とする干渉電子顕微鏡。
【請求項６】
請求項１乃至５のいずれか１項に記載の干渉電子顕微鏡であって、
前記対物レンズ系もしくは前記結像レンズ系に備えられた電子線バイプリズムとして、第２の電子線バイプリズムと第３の電子線バイプリズムとが備えられ、
前記対物レンズ系に属する複数の電子レンズもしくは前記結像レンズ系に属する複数の電子レンズと、前記第２の電子線バイプリズムと、前記第３の電子線バイプリズムとが２段電子線バイプリズム干渉光学系を構成する
ことを特徴とする干渉電子顕微鏡。
【請求項７】
請求項１乃至６のいずれか１項に記載の干渉電子顕微鏡であって、
前記電子線の電子波としての波長をλとし、
電子光学上の電子源の、電子光学上のマスク面に対する開き角βＭとし、
前記電子光学上のマスクはブリッジ状でその長方向と垂直の幅をｄＭとしたとき、
前記電子光学上のマスク面での前記電子波の可干渉距離をＬＭとし、
以下の式（３）、あるいは式（４）を満たす関係にある
ことを特徴とする干渉電子顕微鏡。
【数１】
0006051596.tif 000007
【数２】
0006051596.tif 000008
【請求項８】
請求項１乃至７のいずれか１項に記載の干渉電子顕微鏡であって、
前記電子光学上の第１の電子線バイプリズムから電子光学上の試料面までの距離をＬ２とし、
以下の式（５）を満たす関係にある
ことを特徴とする干渉電子顕微鏡。
【数３】
0006051596.tif 000009
【請求項９】
請求項１乃至８のいずれか１項に記載の干渉電子顕微鏡であって、
前記マスクが第４の電子線バイプリズムであり、
前記第４の電子線バイプリズムが動作することにより、前記第１の電子線バイプリズムと、前記対物レンズ系もしくは前記結像レンズ系に備えられた電子線バイプリズムとが、前記第１の電子線と前記第２の電子線を偏向させる光軸を含む電子光学上同一平面内において前記第１の電子線と前記第２の電子線を偏向させる
ことを特徴とする干渉電子顕微鏡。
【請求項１０】
請求項９に記載の干渉電子顕微鏡であって、
前記マスクが第４の電子線バイプリズムであり、
前記第４の電子線バイプリズムが動作することにより、前記第１の領域と前記第２の領域を照射する電子線の物面上での傾きが制御される
ことを特徴とする干渉電子顕微鏡。
【請求項１１】
干渉電子顕微鏡であって、
電子源と、
前記電子源から放出された電子を所定の速度からなる電子線とする加速管と、
前記電子線を試料に照射する照射レンズ系と、
前記試料を保持する試料保持部と、
前記試料の像を結像する少なくとも１つの電子レンズからなる対物レンズ系と、
前記対物レンズ系により結像された試料の像を拡大結像もしくは縮小結像する結像レンズ系と、
前記結像レンズ系による前記試料の像を観察する観察面と、
前記観察面上に結像された前記試料の像を観察もしくは記録する観察記録系と、
前記照射レンズ系の電子線の進行方向最上流に位置する電子レンズと試料の間に設置された、第１の電子線バイプリズムと、
前記加速管と前記第１の電子線バイプリズムとの間に設置されたマスクを備え、
前記対物レンズ系もしくは前記結像レンズ系は、少なくとも１つの電子線バイプリズムを備え、
前記マスクにより前記電子線が第１の電子線と第２の電子線に分離され、
前記照射レンズ系の光学作用により、
前記試料の位置する前記対物レンズ系の物面上における前記第１の電子線と前記第２の電子線の電流密度が制御されるとともに、
前記照射レンズ系の光学作用により、
前記マスクが前記対物レンズ系の物面に結像され、
前記照射レンズ系の光学作用により、
前記第１の電子線バイプリズムと前記試料の位置する前記対物レンズ系の物面との電子光学上の距離が制御され、
前記試料の位置する前記対物レンズ系の物面上において互いに異なる第１の領域と第２の領域を照射し、
前記第１の電子線バイプリズムによる前記電子線への偏向作用、もしくは前記照射レンズ系による前記第１の電子線と前記第２の電子線への光学作用とにより、前記第１の領域と前記第２の領域との位置が制御され、
前記第1の電子線と前記第２の電子線とが前記結像レンズ系に備えられた電子線バイプリズムにより前記観察面上において重畳され、前記観察面上の前記第1の電子線と前記第２の電子線との重畳領域が前記観察記録系により観察もしくは記録される
ことを特徴とする干渉電子顕微鏡。
【請求項１２】
請求項１１に記載の干渉電子顕微鏡であって、
前記照射レンズ系が２つの電子レンズから構成され、
前記電子線の進行方向の上流側からマスク、第１の照射電子レンズ、前記第１の電子線バイプリズム、第２の照射電子レンズ、の順に配置されている
ことを特徴とする干渉電子顕微鏡。
【請求項１３】
請求項１１に記載の干渉電子顕微鏡であって、
前記照射レンズ系が２つの電子レンズから構成され、
前記電子線の進行方向の上流側から、第１の照射電子レンズ、前記マスク、前記第１の電子線バイプリズム、第２の照射電子レンズ、の順に配置されている
ことを特徴とする干渉電子顕微鏡。
【請求項１４】
請求項１１に記載の干渉電子顕微鏡であって、前記照射レンズ系が２つの電子レンズから構成され、
前記電子線の進行方向の上流側から、前記マスク、第１の照射電子レンズ、第２の照射電子レンズ、前記第１の電子線バイプリズム、の順に配置されている
ことを特徴とする干渉電子顕微鏡。
【請求項１５】
請求項１１に記載の干渉電子顕微鏡であって、
前記照射レンズ系が２つの電子レンズから構成され、
前記電子線の進行方向の上流側から第１の照射電子レンズ、前記マスク、第２の照射電子レンズ、前記第１の電子線バイプリズム、の順に配置されている
ことを特徴とする干渉電子顕微鏡。
【請求項１６】
請求項１１に記載の干渉電子顕微鏡であって、
前記照射レンズ系が３つの電子レンズから構成され、
前記電子線の進行方向の上流側から、前記マスク、第１の照射電子レンズ、前記第１の電子線バイプリズム、第２の照射電子レンズ、第３の照射電子レンズ、の順に配置されている
ことを特徴とする干渉電子顕微鏡。
【請求項１７】
請求項１１に記載の干渉電子顕微鏡であって、
前記照射レンズ系が３つの電子レンズから構成され、
前記電子線の進行方向の上流側から、第１の照射電子レンズ、マスク、前記第１の電子線バイプリズム、第２の照射電子レンズ、第３の照射電子レンズ、の順に配置されている
ことを特徴とする干渉電子顕微鏡。
【請求項１８】
請求項１１に記載の干渉電子顕微鏡であって、
前記照射レンズ系が３つの電子レンズから構成され、
前記電子線の進行方向の上流側から、前記マスク、第１の照射電子レンズ、第２の照射電子レンズ、前記第１の電子線バイプリズム、第３の照射電子レンズ、の順に配置されている
ことを特徴とする干渉電子顕微鏡。
【請求項１９】
請求項１１に記載の干渉電子顕微鏡であって、
前記照射レンズ系が３つの電子レンズから構成され、
前記電子線の進行方向の上流側から、第１の照射電子レンズ、前記マスク、第２の照射電子レンズ、前記第１の電子線バイプリズム、第３の照射電子レンズ、の順に配置されている
ことを特徴とする干渉電子顕微鏡。
【請求項２０】
請求項１１に記載の干渉電子顕微鏡であって、
前記照射レンズ系が３つの電子レンズから構成され、
前記電子線の進行方向の上流側から、第１の照射電子レンズ、第２の照射電子レンズ、前記マスク、前記第１の電子線バイプリズム、第３の照射電子レンズ、の順に配置されている
ことを特徴とする干渉電子顕微鏡。
【請求項２１】
請求項１１に記載の干渉電子顕微鏡であって、
前記照射レンズ系が３つの電子レンズから構成され、
前記電子線の進行方向の上流側から、前記マスク、第１の照射電子レンズ、第２の照射電子レンズ、第３の照射電子レンズ、前記第１の電子線バイプリズム、の順に配置されていることを特徴とする干渉電子顕微鏡。
【請求項２２】
請求項１１に記載の干渉電子顕微鏡であって、
前記照射レンズ系が３つの電子レンズから構成され、
前記電子線の進行方向の上流側から、第１の照射電子レンズ、前記マスク、第２の照射電子レンズ、第３の照射電子レンズ、前記第１の電子線バイプリズム、の順に配置されている
ことを特徴とする干渉電子顕微鏡。
【請求項２３】
請求項１１に記載の干渉電子顕微鏡であって、
前記照射レンズ系が３つの電子レンズから構成され、
前記電子線の進行方向の上流側から、第１の照射電子レンズ、第２の照射電子レンズ、前記マスク、第３の照射電子レンズ、前記第１の電子線バイプリズム、の順に配置されている
ことを特徴とする干渉電子顕微鏡。
【請求項２４】
請求項１１乃至２３のいずれか１項に記載の干渉電子顕微鏡であって、
前記第１の電子線バイプリズム、または／および前記対物レンズ系もしくは前記結像レンズ系に備えられた電子線バイプリズムが、前記マスクがつくる影の空間に配される
ことを特徴とする干渉電子顕微鏡。
【請求項２５】
請求項１１乃至２４のいずれか１項に記載の干渉電子顕微鏡であって、
前記第１の電子線バイプリズムと前記対物レンズ系もしくは前記結像レンズ系に備えられた電子線バイプリズムとが、光軸を含む電子光学上同一平面内において前記第１の電子線と前記第２の電子線を偏向させる
ことを特徴とする干渉電子顕微鏡。
【請求項２６】
請求項１１乃至２５のいずれか１項に記載の干渉電子顕微鏡であって、
前記第１の電子線バイプリズムと、前記対物レンズ系もしくは前記結像レンズ系に備えられた電子線バイプリズムとによる、前記第１の電子線と前記第２の電子線への偏向作用により、
前記観察面上に構成された前記重畳領域内に前記観察記録系により観察もしくは記録可能な電子線干渉縞が構成される
ことを特徴とする干渉電子顕微鏡。
【請求項２７】
請求項１１乃至２６のいずれか１項に記載の干渉電子顕微鏡であって、
前記対物レンズ系もしくは前記結像レンズ系に備えられた電子線バイプリズムとして、第２の電子線バイプリズムと第３の電子線バイプリズムとからなり、
前記対物レンズ系に属する複数の電子レンズもしくは前記結像レンズ系に属する複数の電子レンズと、前記第２の電子線バイプリズムと、前記第３の電子線バイプリズムとが２段電子線バイプリズム干渉光学系を構成する
ことを特徴とする干渉電子顕微鏡。
【請求項２８】
請求項１１乃至２７のいずれか１項に記載の干渉電子顕微鏡であって、
前記電子線の波長をλとし、
電子光学上の電子源の、電子光学上のマスク面に対する開き角をβＭとし、
前記電子光学上のマスクはブリッジ状でその長方向と垂直の幅をｄＭとしたとき、
前記電子光学上のマスク面での電子波の可干渉距離ＬＭとし、
以下の式（３）、あるいは式（４）を満たす関係にある
ことを特徴とする干渉電子顕微鏡。
【数４】
0006051596.tif 000010
【数５】
0006051596.tif 000011
【請求項２９】
請求項１１乃至２８のいずれか１項に記載の干渉電子顕微鏡であって、
前記電子光学上の第１の電子線バイプリズムから電子光学上の試料面までの距離をＬ２とし、
以下の式（５）を満たす関係にある
ことを特徴とする干渉電子顕微鏡。
【数６】
0006051596.tif 000012
【請求項３０】
請求項１１乃至２９のいずれか１項に記載の干渉電子顕微鏡であって、
前記マスクが第４の電子線バイプリズムであり、
前記第４の電子線バイプリズムが動作することにより、前記第１の電子線バイプリズムと、前記対物レンズ系もしくは前記結像レンズ系に備えられた電子線バイプリズムとが、前記第１の電子線と前記第２の電子線を偏向させる光軸を含む電子光学上同一平面内において前記第１の電子線と前記第２の電子線を偏向させる
ことを特徴とする干渉電子顕微鏡。
【請求項３１】
請求項１１乃至３０のいずれか１項に記載の干渉電子顕微鏡であって、
前記マスクが第４の電子線バイプリズムであり、
前記第４の電子線バイプリズムが動作することにより、前記第１の領域と前記第２の領域を照射する電子線の物面上での傾きが制御される
ことを特徴とする干渉電子顕微鏡。
【発明の詳細な説明】
【技術分野】
【０００１】
本発明は、電子線を利用する装置に係り、特に干渉電子顕微鏡などの電子線干渉技術に関する。
【背景技術】
【０００２】
電子線干渉装置は電子線の位相変化を計測することにより、物質あるいは真空中の電磁場を定量的に計測する手法である。図1Ａに従来型電子線ホログラフィーにおける干渉光学系を示す。電子源１より発せられた電子線２は図示するように進む。第１の照射電子レンズ３と第２の照射電子レンズ４により電流密度が調整され、第２の照射電子レンズ４と対物レンズ５との間の光軸片側に試料６が置かれ、対物レンズの物面４２上の試料６を電子線が照射する。対物レンズの作用により得られる像は拡大レンズ９により拡大され、物面上の第１の領域（試料）を通過した電子線７と物面上の第２の領域を通過した電子線８は第２の電子線バイプリズム１０により内側に曲げられ、観察面１１において重畳され干渉し干渉縞が検出される。得られた干渉縞から位相再生を行い、試料６による電子線の位相変化を求める。
【０００３】
電子線バイプリズムは電子線進行方法と平行な平行平板の間に、電極フィラメントを設置し、電極フィラメントに電位を印加することで発生する、フィラメント電極と平行平板との間の電場により、電極フィラメントの左右を通過する電子線を光軸にたいして、内側もしくは外側に偏向する機能を有する。一般的に、光軸に対して回転する機構、光軸に対して垂直な面内で電子線バイプリズムを移動させる機構を有するシステムが市販されている。なお、本明細書において、電子線バイプリズムについて、光学系の中で厳密に電極フィラメントを示す場合は『電子線バイプリズムの電極フィラメント』もしくは、『電極フィラメント』と表記し、電子線の偏向器として慣用する場合には『電子線バイプリズム』とのみ表記するが、符号に関しては同じものを用いる。
【０００４】
この方法においては、第１の領域を通過する電子線７と第２の領域を通過する電子線８は試料位置において隣り合っている。試料面換算での干渉領域の幅は、試料面に照射された電子線の試料面内方向の可干渉距離によって制限される(非特許文献１参照)。また、このような装置に関連する特許文献として、特許文献１−６などがある。
【先行技術文献】
【特許文献】
【０００５】
【特許文献１】特開２００６−２１６３４５号公報
【特許文献２】特開２００６−１６４８６１号公報
【特許文献３】特開２００６−３１３０６９号公報
【特許文献４】特開２０１１−２４９１９１号公報
【特許文献５】ＷＯ２０１０／０２６８６７号公報
【特許文献６】特開２０１１−０４０２１７号公報
【非特許文献】
【０００６】
【非特許文献１】Tonomura A. (1987) Applications of electron holography. Rev. Mod. Phys. 59: 639−669.
【発明の概要】
【発明が解決しようとする課題】
【０００７】
本発明の課題を説明するため、図２を用いて、上述した電子線干渉装置における可干渉距離を説明する。図２に示すような構成において、電子源１０１、電子源の大きさ１０２、電子源から試料面までの距離１０３、試料面１０４の関係において、開き角をβとし、電子線の波長をλとし、可干渉距離をＬＣとしたとき以下の式（１）を満たす関係にある。
【０００８】
【数１】
0006051596.tif 000002
また、可干渉距離ＬＣとしたとき、得られる最大の干渉領域の幅Ｗｍａｘは以下の式（２）を満たす関係にある。
【０００９】
【数２】
0006051596.tif 000003
実際の電子線装置においては、電子光学上、電子源と照射レンズ系、対物レンズ系もしくは結像レンズ系の作用により、縮小もしくは拡大された前記電子源の像は等価である。また、物面も試料６が照射レンズ系、対物レンズ系もしくは結像レンズ系のレンズの作用により電子線光軸上の試料位置とは別の位置に拡大もしくは縮小される像面と等価である。
前記照射電子線の試料面における可干渉距離の制限により、薄膜試料の内部を観察する目的で干渉領域の幅を大きくするに従い、干渉縞コントラストが失われ、可干渉距離より干渉幅を広くすることは出来なかった。このため、従来型電子線ホログラフィーではコントラストの高い干渉縞は狭い干渉領域内でしか観察できなかった。
【００１０】
また、試料に収束した電子線が照射されることによる帯電が第２の領域を通過する電子線８に影響を与え干渉縞を歪ませるため、精度の高い位相再生像を得ることが困難になってくることも問題点であった。この他に、漏れ磁場の大きい試料もこの問題に該当し、やはり、もれ磁場が第２の領域を通過する電子線８に影響を与え干渉縞を歪ませ、高精度位相解析を妨げていた。これを解決するには、第１の領域（試料）を透過する電子線７と第２の領域を通過する電子線８の試料面上での面内距離を離すことが必要である。
【００１１】
電子線を照射系に配置した電子線バイプリズムで分離して、試料面の異なる領域を照射する、試料の像を結像する目的の対物レンズを備えない方法が、走査干渉電子顕微鏡として上述した特許文献２に提案されている。この手法は試料面において真空領域と試料上を収束電子プローブで照射し、下側の検出器にて真空を通過する電子線と試料を透過する電子線の干渉縞を検出し、位相情報を得ながら、プローブもしくは試料を走査し試料面内における電磁場情報を得る方法である。この手法の場合、一度条件を決めればデータ取得が容易であること、倍率変更が容易であること、ノイズに対する位相情報の信号の比が高いことなどがこの手法の特徴である一方、試料を収束電子線が照射することになり、走査中のある観察点においてコーン状の電子プローブが照射した領域全ての電磁場情報を得るため、試料に厚さがある場合には、コーン状の電子プローブが試料を通過する際の、試料の上面もしくは、下面の位置での電子線の大きい方の径だけ分解能が広がることになる。例えば、トモグラフィーの様に二次元の投影位相情報が横方法にぼやけていない像を必要とする手法への適用は不向きであるといえる。
【００１２】
一方、図１Ｂに示すように、試料面において第１の領域におかれた試料６を透過する電子線７と、第２の領域を通過する電子線８の距離を置き試料を照射する図２に示す方法を、本発明者等は上述した特許文献４に提案した。この方法は照射系に第１の電子線バイプリズム１２を設置し、この第１の電子線バイプリズム１２により電子波を分離し、進行方向を偏向させ、試料面において第１の領域（試料）を透過する電子線７と第２の領域を通過する電子線８の距離を置き試料を照射し、試料位置より電子線進行方向の下流にある第２の電子線バイプリズム１０により電子線を偏向し、観察面１１において干渉させ干渉縞を検出する方法である。この時、試料面上での第１の領域（試料）を透過する電子線７と第２の領域を通過する電子線８の面内方向に可干渉な電子線は分離されて照射されているため、試料面上での第１の領域（試料）を透過する電子線７と第２の領域を通過する電子線８の距離を、第１の電子線バイプリズム１２により電子線を分離しなかった場合の、照射電子線の面内方向の可干渉距離より離しても、コントラストの高い干渉縞を得ることが原理上は可能である。
【００１３】
しかしながら、実際の電子線装置においては、上記分離照射の効果を得るためには、電子線の干渉性を試料面上で得るための照射系の装置構成および照射系のレンズ電流の使用条件の最適化が必要であった。具体的には電子光学上の試料面における電子線の干渉が起こる領域を第１の電子線バイプリズム１２の電極フィラメントが隠してしまうと、干渉縞そのものが得られなくなる問題があった。
【００１４】
また、電子光学上の第1の電子線バイプリズム位置が電子光学上の試料位置と同じ位置になった場合、第１の電子線バイプリズムによる電子線の偏向作用が働いても、試料面上では照射系のレンズ作用により、電子線を偏向させない場合と同じ位置に電子線が照射される。この場合には試料面上で電子線を分離して照射する距離を調整する機能が失われる問題があった。上記問題は、電子光学上の第1の電子線バイプリズム位置と電子光学上の試料位置が一致しないように照射光学系を調整することで解決されるが、この場合、試料面上において第1の電子線バイプリズムからのフレネル縞が発生し、最終的に観察されるホログラムを乱すという問題があった。
【００１５】
本発明の目的は、上記の課題を解決し、照射系バイプリズムを用いて、第１の領域に置かれた試料を透過する電子線と、第２の領域を通過する電子線の距離を離し、コントラストの高い干渉縞を得る干渉電子顕微鏡を提供することにある。
【課題を解決するための手段】
【００１６】
上記の目的を達成するため、本発明においては、干渉電子顕微鏡であって、電子源と、電子源から放出された電子を所定の速度からなる電子線とする加速管と、電子線を試料に照射する、少なくとも１つの電子レンズからなる照射レンズ系と、試料を保持する試料保持部と、試料の像を結像する少なくとも１つの電子レンズからなる対物レンズ系と、対物レンズ系により結像された試料の像を拡大結像もしくは縮小結像する、少なくとも１つの電子レンズからなる結像レンズ系と、結像レンズ系による試料の像を観察する観察面と、観察面上に結像された試料の像を観察もしくは記録する観察記録系と、加速管と照射レンズ系との間に設置された第１の電子線バイプリズムと、加速管と第１の電子線バイプリズムとの間に設置されたマスクを備え、対物レンズ系もしくは結像レンズ系に少なくとも１つの電子線バイプリズムを有しており、マスクにより電子線が第１の電子線と第２の電子線に分離され、照射レンズ系の光学作用により、試料の位置する対物レンズ系の物面上における第１の電子線と第２の電子線の電流密度が制御され、照射レンズ系の光学作用により、第１の電子線バイプリズムと試料の位置する対物レンズ系の物面との電子光学上の距離が制御されるとともに、照射レンズ系の光学作用により、マスクが対物レンズ系の物面に結像され、試料の位置する、対物レンズ系の物面上において互いに異なる第１の領域と第２の領域を照射し、第１の電子線バイプリズムによる電子線への偏向作用、もしくは照射レンズ系による第１の電子線と第２の電子線への光学作用とにより、第１の領域と第２の領域との位置が制御され、第1の電子線と第２の電子線とが対物レンズ系もしくは結像レンズ系に備えられた電子線バイプリズムにより観察面上において重畳され、観察面上の第1の電子線と第２の電子線との重畳領域が観察記録系により観察もしくは記録される構成の干渉電子顕微鏡を提供する。
【００１７】
また、上記の目的を達成するため、本発明においては、干渉電子顕微鏡であって、電子源と、電子源から放出された電子を所定の速度からなる電子線とする加速管と、電子線を試料に照射する照射レンズ系と、試料を保持する試料保持部と、試料の像を結像する少なくとも１つの電子レンズからなる対物レンズ系と、対物レンズ系により結像された試料の像を拡大結像もしくは縮小結像する結像レンズ系と、結像レンズ系による試料の像を観察する観察面と、観察面上に結像された試料の像を観察もしくは記録する観察記録系と、照射レンズ系の電子線の進行方向最上流に位置する電子レンズと試料の間に設置された、第１の電子線バイプリズムと、加速管と前記第１の電子線バイプリズムとの間に設置されたマスクを備え、対物レンズ系もしくは結像レンズ系は、少なくとも１つの電子線バイプリズムを備え、マスクにより電子線が第１の電子線と第２の電子線に分離され、照射レンズ系の光学作用により、試料の位置する対物レンズ系の物面上における第１の電子線と第２の電子線の電流密度が制御されるとともに、照射レンズ系の光学作用により、マスクが対物レンズ系の物面に結像され、照射レンズ系の光学作用により、第１の電子線バイプリズムと試料の位置する対物レンズ系の物面との電子光学上の距離が制御され、試料の位置する対物レンズ系の物面上において互いに異なる第１の領域と第２の領域を照射し、第１の電子線バイプリズムによる電子線への偏向作用、もしくは照射レンズ系による第１の電子線と第２の電子線への光学作用とにより、第１の領域と第２の領域との位置が制御され、第1の電子線と第２の電子線とが結像レンズ系に備えられた電子線バイプリズムにより観察面上において重畳され、観察面上の第1の電子線と第２の電子線との重畳領域が観察記録系により観察もしくは記録される構成の干渉電子顕微鏡を提供する。
【００１８】
更に、本発明の好適な実施態様においては、電子線光軸上において、第１の電子源の位置する面、もしくは第１の電子源が照射系の電子レンズの作用により虚像もしくは実像として結像される面と、第１の電子線バイプリズムの位置する面もしくは第１の電子線バイプリズムが照射系の電子レンズの作用により虚像もしくは実像として結像される面と、試料が位置する面もしくは試料が照射系の電子レンズの作用により虚像もしくは実像として結像される面と、が電子レンズを間に挟まずに、連側的に位置する位置関係にあるこれら三つの面に着目し、それぞれ、電子光学上の電子源面、電子光学上の第１の電極フィラメント面、電子光学上の試料面と定義し、これら電子光学上の電子源面、電子光学上の第１の電極フィラメント面、電子光学上の試料面は電子線進行方向に、順に、電子光学上の電子源面、電子光学上の第１の電極フィラメント面、電子光学上の試料面と順序が限定されるわけではなく、照射系の構成と使用方法によって変わることを特徴とし、照射レンズ系の光学作用により、電子光学上の電子源の位置する面と電子光学上の試料面との間の距離Ｌと電子光学上の第１の電極フィラメントから電子光学上の試料面までの距離Ｌ２が制御されるとともに、電子光学上の電子源から電子光学上の第１の電極フィラメント面までの距離が制御され、電子光学上の電子源の位置する面と電子光学上のマスク面との間の距離が制御され、電子光学上のマスク面と電子光学上の試料面が同じになるように制御され、電子光学上の電子源の電子光学上のマスク面に対する開き角βＭが制御されるとともに、電子光学上のマスク面での電子波の可干渉距離が制御され、前記電子線の波長をλとし、電子光学上の電子源の電子光学上のマスク面に対する開き角βＭとし、電子光学上のマスク面での電子波の可干渉距離ＬＭとし、電子光学上のマスクの幅をｄＭとし、以下の式（３）、又は、式（４）を満たす関係にあるとき、試料面上における電子線の可干渉領域をマスクが隠してしまう問題は解決され、同時に、第１の電極フィラメントにより電子線の可干渉領域がかくされてしまう問題も解決される干渉電子顕微鏡を提供する。
【００１９】
【数３】
0006051596.tif 000004
【００２０】
【数４】
0006051596.tif 000005
また更に、本発明の好適な実施態様においては、以下の式（５）を満たす関係にあるとき、電子光学上の第1の電子線バイプリズム位置が電子光学上の試料位置と同じ位置になった場合に、第１の電子線バイプリズムにより試料面上で電子線を分離して照射する距離を調整する機能が失われる問題が解決される干渉電子顕微鏡を提供する。
【００２１】
【数５】
0006051596.tif 000006
【発明の効果】
【００２２】
本発明によれば、コントラストの高い干渉縞を得る干渉電子顕微鏡を提供することができる。
【図面の簡単な説明】
【００２３】
【図１Ａ】従来方法による、電子線装置の一例の模式図である。
【図１Ｂ】従来方法による、電子線装置の他の例の模式図である。
【図２】本発明の原理構成に係る電子線の可干渉距離を示す模式図である。
【図３】本発明の原理構成、及び第１の実施例に係る、干渉電子顕微鏡の模式図である。
【図４】本発明の原理に関し、電子光学上の光源、電子線バイプリズム、試料の位置関係を示す模式図である。
【図５】第１の実施例に係る、干渉電子顕微鏡のブリッジ状のマスクの構成の一例を示す図である。
【図６】第２の実施例に係る、マスク、第１の電子線バイプリズム、第１の照射電子レンズ、試料の順に並べられた、干渉電子顕微鏡の模式図である。
【図７】第３の実施例に係る、第１の照射電子レンズ、マスク、第１の電子線バイプリズム、第２の照射電子レンズ、試料の順に並べられた、干渉電子顕微鏡の模式図である。
【図８】第４の実施例に係る、マスク、第１の照射電子レンズ、第２の照射電子レンズ、第１の電子線バイプリズム、試料の順に並べられた干渉電子顕微鏡の模式図である。
【図９】第５の実施例に係る、第１の照射電子レンズ、マスク、第１の電子線バイプリズム、第２の照射電子レンズ、第３の照射電子レンズ、試料の順に並べられた干渉電子顕微鏡の模式図である。
【図１０】第６の実施例に係る、第１の照射電子レンズ、第２の照射電子レンズ、マスク、第１の電子線バイプリズム、第３の照射電子レンズ、試料の順に並べられた干渉電子顕微鏡の模式図である。
【図１１】第７の実施例に係る、第１の照射電子レンズ、マスク、第２の照射電子レンズ、第３の照射電子レンズ、第１の電子線バイプリズム、試料の順に並べられた干渉電子顕微鏡の模式図である。
【図１２】第８の実施例に係る、第１の照射電子レンズ、第２の照射電子レンズ、マスク、第１の電子線バイプリズム、第３の照射電子レンズ、試料、対物レンズ、第３の電子線バイプリズム、拡大レンズ、第２の電子線バイプリズムの順に並べられた干渉電子顕微鏡の模式図である。
【図１３】第９の実施例に係る、第１の照射電子レンズ、第４の電子線バイプリズム、第１の電子線バイプリズム、第２の照射電子レンズ、第３の照射電子レンズ、試料の順に並べられた干渉電子顕微鏡の模式図である。
【図１４】第１０の実施例に係る、第１の照射電子レンズ、第２の照射電子レンズ、第４の電子線バイプリズム、第１の電子線バイプリズム、第３の照射電子レンズ、試料、対物レンズ、第３の電子線バイプリズム、拡大レンズ、第２の電子線バイプリズムの順に並べられた干渉電子顕微鏡の模式図である。
【発明を実施するための形態】
【００２４】
本発明の種々の干渉電子顕微鏡の実施例を図面に従い説明する前に、図３の模式図を用いて、本発明の透過型電子顕微鏡を利用した干渉電子顕微鏡の原理構成を説明する。なお、後に説明するように、図３は、透過型電子顕微鏡を利用した干渉電子顕微鏡の第１の実施例の一構成を示す図でもあるが、以下に説明する原理構成は、他の図面を用いて説明する他の実施例の構成の干渉電子顕微鏡においても同様に適用できる。
【００２５】
図３において、電子源１が電子線の流れる方向の最上流部に位置し、第１引き出し電極１３、第２引き出し電極１４、加速電極１５に電圧が印加され、電子源１から放出された電子線は、加速され、第１の電子源１６に収束される。本明細書では、第１引き出し電極１３、第２引き出し電極１４、加速電極１５をまとめて加速管３９と定義する。印加される電圧の制御により、電子線はその波長が変化し、その軌道も変化する。従って、電子光学上の第１の電子源１６を図中に改めて描いている。この電子源１６は実像であるとは限らない。
【００２６】
本構成において、マスク２９が、第１の電子源１６から電子線の流れる方向の下流方向、すなわち加速管３９と第１の照射電子レンズ３との間に位置する。そして、このマスク２９の作る影に配置された、第１の電子線バイプリズム１２により、電子線は光軸に対して内側に偏向され、第１の照射電子レンズ３に向かう。第１の照射電子レンズ３と第２の照射電子レンズ４の作用により、試料６のおかれた第１の領域を透過する電子線７と、試料６のおかれていない第２の領域を通過する電子線８の試料面上での電流密度が制御され、試料面上の二つの領域をそれぞれ二つの電子線７、８が照射する。照射レンズ系のレンズ作用によりマスク２９は試料面２０上に結像され、マスク２９、及びその影に配置された第1の電子線バイプリズム１２からのフレネル縞は試料面２０上において発生しない。
【００２７】
試料６の像は、試料６よりも下流側に設置された対物レンズ５にて結像される。この結像作用は、対物レンズ５よりも下流側の拡大レンズ９に引き継がれ、最終的に電子線装置である透過型電子顕微鏡を利用した干渉電子顕微鏡の観察面１１に結像される。なお、数番１７は、第１の電子源が結像される第２の電子源面を示している。
【００２８】
また、試料面を通過した第１の領域におかれた試料６を透過する電子線７と第２の領域を通過する電子線８は、第１の電子線バイプリズム１２の作る影の領域に設置された第２の電子線バイプリズム１０によって電子線が光軸に対し偏向され、干渉電子顕微鏡の観察面１１上で重畳され、干渉することによってホログラムが得られる。得られたホログラムは、電子顕微鏡フィルムやＣＣＤカメラなどの電子線検出器３７によって検出される。
【００２９】
図３の干渉電子顕微鏡において、それぞれの電子源１、加速管３９、への印加電圧、試料微動機構３６、および電子レンズの励磁状態、電子線バイプリズムへの印加電圧は制御パーソナルコンピュータ（ＰＣ）３４に接続された制御系３８でコントロールされている。実際の干渉電子顕微鏡ではこの模式図で示した他に、電子線の進行方向を変化させる偏向系、電子線の透過する領域を制限する絞り機構などが存在し、それらの要素もまた制御ＰＣ３４に接続された制御系３８でコントロールされている。しかし、これらの装置は本明細書に開示される干渉電子顕微鏡には直接的な関係が無いので、この図では割愛する。
【００３０】
なお、制御用ＰＣ３４は、相互に接続された処理部である中央処理部(Ｃｅｎｔｒａｌ  Ｐｒｏｃｅｓｓｉｎｇ  Ｕｎｉｔ：ＣＰＵ)、記憶部であるメモリ、入出力インタフェース部等を有する通常のコンピュータ構成を備えている。本明細書においては、装置の制御を行う、これらのＰＣ３４、制御系３８を纏めて装置の制御部と呼ぶ場合がある。なお、この制御部は一台のコンピュータで構成されている必要はなく、例えば電子線バイプリズムを制御するコンピュータを、干渉電子顕微鏡を構成する他の要素を制御するコンピュータと別に備えるよう構成することもできる。この場合は、複数のコンピュータを纏めて制御部と称する。また、この模式図に示すごとく、電子光学要素は真空容器である顕微鏡本体３３中に組み立てられ、真空ポンプにて継続的に真空排気されている。真空系についても、本願発明の干渉電子顕微鏡とは直接の関係がないため図示、説明は割愛する。
【００３１】
以上説明した構成の干渉電子顕微鏡と、試料と電子線検出器の間に、一個でなく複数のバイプリズムを装備するホログラフィー電子顕微鏡と組み合わせると、干渉縞間隔、干渉領域の幅が任意に調整可能となる。複数のバイプリズムを装備するホログラフィー電子顕微鏡自身は、例えば、本発明者等による特許文献１、特許文献３に詳細が開示されているので、ここでは記述しない。
【００３２】
図３において、電子光学上の電子源面１８は、第１の電子源１６が第３の照射電子レンズ３と第４の照射電子レンズ４のレンズ作用により結像される面であり、電子光学上の第１の電極フィラメント面１９は、第１の電子線バイプリズム１２の電極フィラメントが、第３の照射電子レンズ３と第４の照射電子レンズ４のレンズ作用により結像される面であり、電子光学上の試料面２０は、実際に試料が存在する面に等しい。
【００３３】
図４に、図３に示される、電子光学上の電子源面１８、電子光学上の第１の電極フィラメント面１９、試料面２０の関係を示す。
図４にはそれぞれ、電子光学上の電子源面１８に電子光学上の電子源２１が位置し、電子光学上の試料面２０に電子光学上のマスク３０が位置し、電子光学上の第１の電子線バイプリズム２２、電子光学上の電子源の電子光学上のマスク面に対する開き角βＭ、電子光学上のマスク面での電子波の可干渉距離ＬＭ、電子光学上のマスクの幅ｄＭ、電子光学上の電子源から電子光学上の第１の電極フィラメント面までの距離２６、電子光学上の第１の電極フィラメントから電子光学上の試料面までの距離２７、電子光学上の電子源から電子光学上の試料面までの距離２８、電子光学上の試料面での電子波の可干渉距離ＬＭ、を示す。
【００３４】
図３、図４に示す構成においては、前記の第１の照射電子レンズ３と第２の照射電子レンズ４の作用により、第１の領域におかれた試料６を透過する電子線７と第２の領域を通過する電子線８の試料面上での電流密度が制御され、電子光学上の電子源の位置する面１８と、電子光学上の試料面２０との間の距離２８と、電子光学上の第１の電極フィラメント２２から電子光学上の試料面２０までの距離２７が制御され、電子光学上の電子源２１から電子光学上の第１の電極フィラメント面までの距離２６が制御され、電子光学上の電子源２１の電子光学上の第１の電極フィラメント面に対する開き角βＭが制御され、前記電子線の波長をλとし、電子光学上の電子源の電子光学上の試料面における前述開き角をβＭとし、前記電子光学上のマスクの幅をｄＭとし、前記の式（３）を満たす関係に制御される。
【００３５】
もしくは、前記の第１の照射電子レンズ３と第２の照射電子レンズの作用により、第１の領域に置かれた試料を透過する電子線７と第２の領域を通過する電子線８の試料面上での電流密度が制御され、電子光学上の試料面での電子波の可干渉距離をＬＭとし、前記電子光学上のマスクの幅をｄＭとし、前記の式（４）を満たす関係に制御される。
【００３６】
また、前記の第１の照射電子レンズ３と第２の照射電子レンズの作用により、第１の領域（試料）を透過する電子線７と第２の領域を通過する電子線８の試料面上での電流密度が制御され、前記電子光学上の第１の電極フィラメントから電子光学上の試料面までの距離２７をＬ２とし、前記の式（５）を満たす関係に制御される。
【００３７】
図５に、図３に示した干渉電子顕微鏡の構成において、電子線進行方向に垂直な面における、マスク４３の形状の一例を模式的に示す。図５の（Ａ）は、幅ｄＭのブリッジ状のマスク４３を、円形の穴の中央に、図５の（Ｂ）はブリッジ状のマスク４３を、四角の穴の中央に配置したものを示した。図５は電子線バイプリズムの電極フィラメントに電子線が当たらないようにするための、二つの例としてのマスク４３を示した模式図であるが、本明細書における干渉電子顕微鏡では、この模式図に記載のマスク形態に限るものではない。
【００３８】
以上概説した、本発明の干渉電子顕微鏡の好適な態様によれば、マスクのつくる影に配置されるように、加速管と照射系の間もしくは、照射系に設置された第1の電子線バイプリズムにより、電子線を分離し、干渉性を保持したまま、第１の領域（試料）を透過する電子線７と第２の領域を通過する電子線８の試料面上での面内距離を離し、照射系レンズの作用により、第１の領域におかれた試料を透過する第１の電子線７と、第２の領域を通過する電子線８の試料面上での電流密度が制御可能となり、結像系の第２の電子線バイプリズムにより、第１の電子線と第２の電子線を観察面上で重畳させ、高いコントラストのホログラムを得ることが可能となる。
【００３９】
また、従来の電子線ホログラフィーでは観察出来なかった、薄膜試料のエッジからみて内側の領域を高い倍率で、コントラストの高いホログラムを、高い電流密度で得ることが可能となり、ホログラムを位相再生する際の再生位相像のノイズを軽減し、高精度位相解析が可能となる。照射系のレンズ作用により試料面上に結像されるマスクを配置したことにより、位相解析の際に障害となる第1の電子線バイプリズムからのフレネル縞は発生しない。
【００４０】
さらに、ホログラムを得る際、試料に電子線が照射されることによる帯電が第２の領域を通過する電子線８に影響を与え干渉縞を歪ませる場合や、漏れ磁場の大きい試料による、もれ磁場が第２の領域を通過する電子線８に影響を与え干渉縞を歪ませる場合に、位相解析精度を低下させていた問題に対し、第１の領域に置かれた試料を透過する電子線７と第２の領域を通過する電子線８の試料面上での面内距離を調整し離すことが可能となり、この場合においても従来の電子線ホログラフィーに比べ精度の高い位相再生像を得ることが可能となる。
【００４１】
以上説明した原理構成は、図３以外の干渉電子顕微鏡においても同様に適用可能である。以下、本発明の数々の実施例を図面に従い説明する。
【実施例１】
【００４２】
図３は、上述の通り、第１の実施例に関する干渉電子顕微鏡の光学系を模式的に示す図である。
同図において、電子源１が電子線の流れる方向の最上流部に位置し、第１引き出し電極１３、第２引き出し電極１４、加速電極１５に電圧が印加され、電子源１から放出された電子線は、加速され、第１の電子源１６を作る。
【００４３】
前記第１の電子源１６から電子線の下流方向、加速管３９と第１の照射電子レンズ３との間に位置するマスク２９の作る影に配置された、加速管３９と第１の照射電子レンズ３との間に位置する、第１の電子線バイプリズム１２により、電子線は光軸に対して偏向され、第１の照射電子レンズ３に向かう。
第１の照射電子レンズ３と第２の照射電子レンズ４の作用により、第１の領域（試料）を透過する電子線７と第２の領域を通過する電子線８の試料面上での電流密度と位置が制御され、試料面上の二つの領域をそれぞれ二つの電子線が照射する。
【００４４】
この際、マスク２９は照射系レンズの作用により、試料面上に結像され、試料面上にフレネル縞は発生しない。加速管３９から試料の間に設置されたマスクの作る影に、電子線バイプリズムを設置することで、試料面上にフレネル縞を発生させない発明に関しては、本発明者等が先に出願した特許文献６にも記載されているが、本実施例の構成では試料面上で分離して電子線を照射し、特許文献６に記載の発明では、同じ試料面上で同じ領域を照射するという点で異なる構成の発明である。
【００４５】
本実施例においてはマスクの位置での可干渉距離と、マスクの幅の関係が照射レンズ系のレンズ作用によって変化しないので、干渉電子顕微鏡の装置使用者は、照射電流密度と照射位置のコントロールだけを気にすればよく、操作性が良い。また、複数の照射系レンズのレンズ作用により、マスクを縮小して試料面上に投影することができ、試料面上でのマスクの影を小さく出来る。
【００４６】
図３の構成において、第１の電子線バイプリズム１２には制御ＰＣ３４に接続された制御系３８より任意の電位を印加することが可能で、試料６の位置における、第１の領域に置かれた試料を透過する電子線７と第２の領域を通過する電子線８の試料面上での距離を任意にコントロールすることが出来る。また、試料６の位置における、第１の領域（試料）を透過する電子線７と第２の領域を通過する電子線８の試料面上での距離は照射系のレンズ作用によってもコントロールすることが出来る。
【００４７】
照射電子レンズをさらに増やし、複数枚の照射電子レンズを有する装置構成においては、試料６の位置における、第１の領域（試料）を透過する電子線７と第２の領域を通過する電子線８の試料面上での距離の制御範囲およびそれぞれの電流密度の調整範囲を広げることが可能となる。
【００４８】
また、電磁レンズの場合、試料面上での電流密度を変化させるために照射系のレンズ作用を変化させる際、電子線が顕微鏡内を螺旋状に回転しながら収束される関係上、試料位置における第１の領域（試料）を透過する電子線７と第２の領域を通過する電子線８の位置関係が面内に回転し、その距離が変化する。試料面上での電流密度を変化させても、試料面における第１の領域（試料）を透過する電子線７と第２の領域を通過する電子線８の位置関係の位置関係が面内で回転しないようにするため、照射系のレンズ電流と連動して、バイプリズムの向きを光軸に垂直な面内に回転させることが可能である。
【００４９】
この連動関係は装置固有に決まった関係となるため、制御ＰＣ３４に連動操作のデータファイルをメモリしておき、照射系のレンズ電流を変化させると同時に前記データファイルを呼び出し、制御系３８により第１の電子線バイプリズムの向きをデータファイルに登録されている方向に登録されている量回転させることが出来る。上記制御により、ユーザはストレス無く、試料面上での電流密度を変化させ、試料位置における第１の領域に置かれた試料を透過する電子線７と第２の領域を通過する電子線８の試料面内回転方向の位置関係を容易に保持することが出来る。
【００５０】
試料６の像は、試料６よりも電子線進行方向の下流側の対物レンズ5にて結像される。この結像作用は、対物レンズ５よりも下流側の拡大レンズ９に引き継がれ、最終的に干渉電子顕微鏡の観察面１１に結像される。
【００５１】
また、試料面を通過した第１の領域に置かれた試料を透過する電子線７と第２の領域を通過する電子線８は第１の電子線バイプリズムの作る影の領域に設置された第２の電子線バイプリズム10によって電子線が光軸に対し偏向され、干渉電子顕微鏡の観察面１１上で重畳され干渉することによって得られる干渉像は、電子顕微鏡フィルムやＣＣＤカメラなどの電子線検出器３７によって検出される。
【００５２】
それぞれの電子源１、加速管３９、への印加電圧、試料微動機構３６、および電子レンズの励磁状態、電子線バイプリズムへの印加電圧は制御ＰＣ３４に接続された制御系３８でコントロールされている。実際の装置ではこの模式図で示した他に、電子線の進行方向を変化させる偏向系、電子線の透過する領域を制限する絞り機構などが存在し、それらの要素もまた制御ＰＣ３４に接続された制御系３８でコントロールされている。しかし、これらの装置は本願には直接的な関係が無いので、この図では割愛する。なお、この模式図に示すごとく、電子光学要素は真空容器である顕微鏡本体３３中に組み立てられ、真空ポンプにて継続的に真空排気されている。真空系についても、本願とは直接の関係がないため割愛する。
【００５３】
また、試料と観察面１１の間には図示されない複数の拡大レンズ、複数のバイプリズムを装備可能で、任意の干渉条件を作ることが出来る。試料と電子線検出器２２の間に複数のバイプリズムを装備するホログラフィー電子顕微鏡に関しては、上述の通り、特許文献１、特許文献３に詳細が開示されているので、ここでは記述しないが、照射系のレンズ電流とバイプリズムの向きを連動させることで、特定の干渉条件を安定して提供できることを説明したように、結像系においても同様に結像系レンズ電流と結像系バイプリズムそれぞれの向きを連動させ回転させることは有効である。これら連動条件は制御PC３４にメモリされ、必要なときに呼び出され適切な操作を行う。
【００５４】
拡大レンズをさらに増やし、複数枚の拡大レンズを有する装置構成においては、拡大倍率、結像系での電子線バイプリズムの電極フィラメントと像面の位置関係、および、結像系での電子線バイプリズムの電極フィラメントと電子線が収束する位置の関係を制御する範囲を広げることが可能となり、観察倍率、干渉縞間隔、干渉領域の幅を任意に制御することが可能となる。この結像系における装置構成とその制御に関しては特許文献５にその詳細が記載されているので、ここではその詳細の記載はしない。また、電子線検出器３７にて検出された干渉縞は制御系３８を介し制御PC３４で即座に、もしくは一度制御PC３４に保存した後に、再生処理され、再生像がモニタ３５に映し出される。再生処理は既に確立された方法が既知であるためここでは詳細を記載しない。
【実施例２】
【００５５】
図６は干渉電子顕微鏡の実施例２を示す模式図である。本実施例の干渉電子顕微鏡は、マスク、第１の電子線バイプリズム、第１の照射電子レンズ、試料の順に構成されている。顕微鏡装置の構成は実施例１と類似しているため、実施例１と同じ部分の記載は省略し、装置構成の異なる点に関しての記載をここでは行う。
【００５６】
前記第１の電子源１６から電子線の下流方向、加速管３９と第１の照射電子レンズ３との間に位置するマスク２９の作る影に配置された、加速管３９と第１の照射電子レンズ３との間に位置する、第１の電子線バイプリズム１２により、電子線は光軸に対して偏向され、第１の照射電子レンズ３に向かう。第１の照射電子レンズ３の作用により、第１の領域（試料）を透過する電子線７と第２の領域を通過する電子線８の試料面上での電流密度と位置が制御され、試料面上の二つの領域をそれぞれ二つの電子線が照射する。この際、マスク２９は照射系レンズの作用により、試料面上に結像され、試料面上にフレネル縞は発生しない。
【００５７】
実施例２は上述した本発明の原理を最も簡易に実現する構成である。また、マスクの位置での可干渉距離と、マスクの幅の関係が照射レンズ系のレンズ作用によって変化しないので、干渉電子顕微鏡の装置使用者は、照射電流密度と照射位置のコントロールだけを気にすればよく、操作性が良い。本実施例の本質は、第１の電子線バイプリズムがマスクと試料６との間に位置することであり、図６に示す装置構成に限るものではない。
【実施例３】
【００５８】
図７は干渉電子顕微鏡の実施例３を示す模式図である。実施例３の干渉電子顕微鏡は、第１の照射電子レンズ、マスク、第１の電子線バイプリズム、第２の照射電子レンズ、試料の順に構成されている。顕微鏡装置の構成は実施例１と類似しているため、実施例１と同じ部分の記載は省略し、装置構成の異なる点に関しての記載をここでは行う。
前記第１の電子源１６から電子線の下流方向に、第１の照射電子レンズ３、マスク２９、第１の電子線バイプリズム１２、第２の照射電子レンズ４、試料６の順に配置される。
【００５９】
第１の照射電子レンズ３と第２の照射電子レンズ４との間、もしくは加速管３９と第１の照射電子レンズ３との間、に位置するマスク２９の作る影に配置された、第１の照射電子レンズ３と第２の照射電子レンズ４の間に位置する、第１の電子線バイプリズム１２により、電子線は光軸に対して偏向され、第２の照射電子レンズ４に向かう。第１の照射電子レンズ３と第２の照射電子レンズ４の作用により、第１の領域（試料）を透過する電子線７と第２の領域を通過する電子線８の試料面上での電流密度と位置が制御され、試料面上の二つの領域をそれぞれ二つの電子線が照射する。
【００６０】
この際、マスク２９は照射系レンズの作用により、試料面上に結像され、試料面上にフレネル縞は発生しない。
本実施例では、第２の照射電子レンズ４の作用により、試料に対して電子線をほぼ平行照射することが可能となる。
【実施例４】
【００６１】
図８は干渉電子顕微鏡の実施例４を示す模式図である。実施例４の干渉電子顕微鏡は、マスク、第１の照射電子レンズ、第２の照射電子レンズ、第１の電子線バイプリズム、試料の順に構成されている。顕微鏡装置の構成は、実施例１と類似しているため、実施例１と同じ部分の記載は省略し、装置構成の異なる点に関しての記載をここでは行う。前記第１の電子源１６から電子線の下流方向に、マスク２９、第１の照射電子レンズ３、第２の照射電子レンズ４、第１の電子線バイプリズム１２、試料６の順に配置される。
【００６２】
加速管３９と第１の照射電子レンズ３との間、もしくは第１の照射電子レンズ３と第２の照射電子レンズ４との間、に位置するマスク２９の作る影に配置された、第２の照射電子レンズ４と試料の間に位置する、第１の電子線バイプリズム１２により、電子線は光軸に対して偏向され、第１の領域（試料）を透過する電子線７と第２の領域を通過する電子線８の試料面上での位置が制御され、試料に向かう。第１の照射電子レンズ３と第２の照射電子レンズ４の作用により、第１の領域（試料）を透過する電子線７と第２の領域を通過する電子線８の試料面上での電流密度が制御され、試料面上の二つの領域をそれぞれ二つの電子線が照射する。
【００６３】
この際、マスク２９は照射系レンズの作用により、試料面上に結像され、試料面上にフレネル縞は発生しない。
【００６４】
本実施例では、試料とバイプリズムの関係が変化しないので、第１の電子線バイプリズムへの印加電圧に対する試料面での分離幅が一定となり、干渉顕微鏡使用者が分離幅を制御する際に簡便である。また、従来の電子顕微鏡の様に、照射系にバイプリズムを設置するためのポートがない干渉電子顕微鏡をもとに、試料ホルダーにバイプリズムを搭載した構造を有する干渉電子顕微鏡で簡易的に本発明の効果が得られる。
【００６５】
なお、本実施例を基にした変形実施例として、前記第１の電子源１６から電子線の下流方向に、マスク２９、第１の照射電子レンズ３、第１の電子線バイプリズム１２、第２の照射電子レンズ４、試料６の順に配置することでも同様の効果が得られる。この場合、第２の照射電子レンズ４の作用と、第１の電子線バイプリズムの作用を組み合わせ、第１の領域（試料）を透過する電子線７と第２の領域を通過する電子線８の試料面上での位置を制御することが出来る。
【実施例５】
【００６６】
図９は干渉電子顕微鏡の実施例５を示す模式図である。実施例５の干渉電子顕微鏡は、第１の照射電子レンズ、マスク、第１の電子線バイプリズム、第２の照射電子レンズ、第３の照射電子レンズ、試料の順に構成される。装置構成は実施例１と類似しているため、実施例１と同じ部分の記載は省略し、装置構成の異なる点に関しての記載をここでは行う。前記第１の電子源１６から電子線の下流方向に、第１の照射電子レンズ３、マスク２９、第１の電子線バイプリズム１２、第２の照射電子レンズ４、第３の照射電子レンズ３２、試料６の順に配置される。
【００６７】
加速管３９と第１の照射電子レンズ３との間、もしくは第１の照射電子レンズ３と第２の照射電子レンズ４との間に位置するマスク２９の作る影に配置された、第１の照射電子レンズ３と第２の照射電子レンズ４の間に位置する、第１の電子線バイプリズム１２により、電子線は光軸に対して偏向され、第２の照射電子レンズ４に向かう。第１の照射電子レンズ３と第２の照射電子レンズ４と第３の照射電子レンズ３２の作用により、第１の領域（試料）を透過する電子線７と第２の領域を通過する電子線８の試料面上での電流密度と位置が制御され、試料面上の二つの領域をそれぞれ二つの電子線が照射する。
【００６８】
この際、マスク２９は照射系レンズの作用により、試料面上に結像され、試料面上にフレネル縞は発生しない。
本実施例では、第１の照射電子レンズ３のレンズ作用により、マスクの位置での、電子線の可干渉距離を調整した後、第２の照射電子レンズ４、第３の照射電子レンズ３２のレンズ作用により、試料面上での、第１の領域（試料）を透過する電子線７と第２の領域を通過する電子線８の試料面上での電流密度と位置を制御することが可能である。
【実施例６】
【００６９】
図１０は干渉電子顕微鏡の実施例６を示す模式図である。本実施例６の干渉電子顕微鏡は、第１の照射電子レンズ、第２の照射電子レンズ、マスク、第１の電子線バイプリズム、第３の照射電子レンズ、試料の順に構成される。装置構成は実施例１と類似しているため、実施例１と同じ部分の記載は省略し、装置構成の異なる点に関しての記載をここでは行う。前記第１の電子源１６から電子線の下流方向に、第１の照射電子レンズ３、第２の照射電子レンズ４、マスク２９、第１の電子線バイプリズム１２、第３の照射電子レンズ３２、試料６の順に配置される。
【００７０】
加速管３９と第１の照射電子レンズ３との間、もしくは第１の照射電子レンズ３と第２の照射電子レンズ４との間、または第２の照射電子レンズ４と第３の照射電子レンズ３２との間に位置するマスク２９の作る影に配置された、第２の照射電子レンズ４と第３の照射電子レンズ３２の間に位置する、第１の電子線バイプリズム１２により、電子線は光軸に対して偏向され、第３の照射電子レンズ３２に向かう。
【００７１】
第１の照射電子レンズ３と第２の照射電子レンズ４と第３の照射電子レンズ３２の作用により、第１の領域（試料）を透過する電子線７と第２の領域を通過する電子線８の試料面上での電流密度と位置が制御され、試料面上の二つの領域をそれぞれ二つの電子線が照射する。この際、マスク２９は照射系レンズの作用により、試料面上に結像され、試料面上にフレネル縞は発生しない。
【００７２】
本実施例では、第１の照射電子レンズ３、第２の照射電子レンズ４のレンズ作用により、電子光学上の電子源面１８を変化させずに、マスクの位置での電子線の可干渉距離を調整することが可能である。
【実施例７】
【００７３】
図１１は干渉電子顕微鏡の実施例７を示す模式図である。実施例７の干渉電子顕微鏡は、第１の照射電子レンズ、マスク、第２の照射電子レンズ、第３の照射電子レンズ、第１の電子線バイプリズム、試料の順に構成される。装置構成は実施例１と類似しているため、実施例１と同じ部分の記載は省略し、装置構成の異なる点に関しての記載をここでは行う。前記第１の電子源１６から電子線の下流方向に、第１の照射電子レンズ３、マスク２９、第２の照射電子レンズ４、第３の照射電子レンズ３２、第１の電子線バイプリズム１２、試料６の順に配置される。
【００７４】
加速管３９と第１の照射電子レンズ３との間、もしくは第１の照射電子レンズ３と第２の照射電子レンズ４との間、または第２の照射電子レンズ４と第３の照射電子レンズ３２との間に位置するマスク２９の作る影に配置された、
第３の照射電子レンズ３２と試料６の間に位置する、第１の電子線バイプリズム１２により、電子線は光軸に対して偏向され、第１の領域（試料）を透過する電子線７と第２の領域を通過する電子線８の試料面上での位置が制御され、試料に向かう。
【００７５】
第１の照射電子レンズ３と第２の照射電子レンズ４と第３の照射電子レンズ３２の作用により、第１の領域（試料）を透過する電子線７と第２の領域を通過する電子線８の試料面上での電流密度が制御され、試料面上の二つの領域をそれぞれ二つの電子線が照射する。この際、マスク２９は照射系レンズの作用により、試料面上に結像され、試料面上にフレネル縞は発生しない。
【００７６】
本実施例では、試料とバイプリズムの関係が変化しないので、第１の電子線バイプリズムへの印加電圧に対する試料面での分離幅が一定となり、干渉顕微鏡使用者が分離幅を制御する際に簡便である。
【００７７】
また、従来の電子顕微鏡の様に、照射系にバイプリズムを設置するためのポートがない干渉電子顕微鏡をもとに、試料ホルダーにバイプリズムを搭載した構造を有する干渉電子顕微鏡で簡易的に本発明の効果が得られる。また、実施例４に比べ照射電子レンズの数が多いため前記可干渉距離の調整範囲は広い。
【００７８】
なお、本実施例を基にした変形実施例として、前記第１の電子源１６から電子線の下流方向に、マスク２９、第１の照射電子レンズ３、第１の電子線バイプリズム１２、第２の照射電子レンズ４、第３の照射電子レンズ３２、試料６の順に配置することでも本発明の効果が得られる。
【００７９】
この場合、第１の照射電子レンズ３のレンズ作用により、マスク２９は第１の照射電子レンズ３と第２の照射電子レンズ４との間に結像され、その位置での電子線の分離幅が第１の電子線バイプリズム１２の作用により制御される。第２の照射電子レンズ４と第３の照射電子レンズ３２のレンズ作用により、前記マスク結像面で分離された電子線を任意の大きさに拡大、縮小し、試料面上に照射することが可能である。
【００８０】
また、本実施例を基にした別の変形実施例として、前記第１の電子源１６から電子線の下流方向に、マスク２９、第１の照射電子レンズ３、第２の照射電子レンズ４、第１の電子線バイプリズム１２、第３の照射電子レンズ３２、試料６の順に配置することでも本発明の効果が得られる。
【００８１】
この場合、第１の照射電子レンズ３と第２の照射電子レンズ４と第３の照射電子レンズのレンズ作用により、マスク２９の位置での電子線の可干渉距離を任意の大きさに拡大、縮小し、試料面上に照射することが可能である。この時、マスク２９の大きさに対する電子線の可干渉距離の比率は、照射レンズ系の作用によっては変化しないため、装置使用者は電子線を試料面上に照射する照射電流密度の制御のみを考慮すればよい。
【００８２】
更に、本実施例を基にした別の変形実施例として、前記第１の電子源１６から電子線の下流方向に、第１の照射電子レンズ３、マスク２９、第２の照射電子レンズ４、第１の電子線バイプリズム１２、第３の照射電子レンズ３２、試料６の順に配置することでも本発明の効果が得られる。
【００８３】
この場合、第１の照射電子レンズ３の作用により、マスク２９の位置での電子線の可干渉距離を制御することが可能で、第２の照射電子レンズ４と第３の照射電子レンズの作用により、マスク２９の位置での電子線の可干渉距離を任意の大きさに拡大、縮小し、試料面上に照射することが可能である。この時、第１の照射電子レンズ３の作用により一度設定した、マスク２９の大きさに対する電子線の可干渉距離の比率は、第２の照射電子レンズ４と第３の照射電子レンズの作用によっては変化しない。このため、装置使用者は、一度、マスク２９の大きさに対する電子線の可干渉距離の比率を設定した後は、電子線を試料面上に照射する照射電流密度の制御のみを考慮すればよい。
【実施例８】
【００８４】
図１２は干渉電子顕微鏡と、二段電子線バイプリズムを組み合わせた、一つの例を示す模式図である。実施例８の干渉電子顕微鏡は、第１の照射電子レンズ、第２の照射電子レンズ、マスク、第１の電子線バイプリズム、第３の照射電子レンズ、試料、対物レンズ、第３の電子線バイプリズム、拡大レンズ、第２の電子線バイプリズムの順に構成されている。
【００８５】
本発明の実施例６と結像系の二段バイプリズムを組み合わせた干渉電子顕微鏡の模式図本実施例は組み合わせの一例であり、本願はこの模式図に記載の形態に限るものではない。二段電子線バイプリズムは、上述の通り、特許文献１、あるいは特許文献３に記載されているので、ここでは説明を省略する。なお、装置構成は実施例６と類似しているため、実施例６と同じ部分の記載は省略する。
【００８６】
対物レンズ５と拡大レンズ９の間に、対物レンズ５の作用により試料の像が結像される像面に第３の電子線バイプリズム４１の電極フィラメントが配置され、拡大レンズ９と拡大レンズ９の作用により結像される像面の間の、第３の電子線バイプリズム４１の作る影の位置に第２の電子線バイプリズム１０が配置される。
【００８７】
第２の電子線バイプリズム１０、第３の電子線バイプリズム４１へ印加する電圧をコントロールすることにより、電子線干渉縞間隔、干渉領域の幅を任意に制御することが可能となる。
【００８８】
本実施例は実施例６と二段電子線バイプリズムを組み合わせた実施例であるが、実施例１−７のどれと二段電子線バイプリズムを組み合わせても、本発明の効果を得ながら、二段電子線バイプリズムの効果が得られる。
【実施例９】
【００８９】
図１３は実施例５のマスクが、第４の電子線バイプリズム３１に置き換えた実施例９の模式図である。実施例９の干渉電子顕微鏡は、第１の照射電子レンズ、第４の電子線バイプリズム、第１の電子線バイプリズム、第２の照射電子レンズ、第３の照射電子レンズ、試料の順に構成される。本実施例はマスクを第４の電子線バイプリズムに置き換えた一例であり、本願はこの模式図に記載の形態に限るものではない。装置構成は実施例５と類似しているため、実施例５と同じ部分の記載は省略する。
【００９０】
第１の照射電子レンズ３と第２の照射電子レンズ４の間に配置された、第４の電子線バイプリズム３１の作る影に、第１の電子線バイプリズム１２が配置され、照射レンズの作用により、第４の電子線バイプリズム３１は試料面上に結像される。この際、試料面上に第４の電子線バイプリズム３１からも第１の電子線バイプリズム１２からも、フレネル縞は発生しない。
【００９１】
第１の電子線バイプリズムは第１の領域（試料）を透過する電子線７と第２の領域を通過する電子線８の試料面上での位置を制御する一方、第４の電子線バイプリズムは第１の領域（試料）を透過する電子線７と第２の領域を通過する電子線８の試料面上での照射角度を制御する機能を持つ。
【００９２】
本実施例の具体的な効果としては、得られるホログラムの干渉縞間隔を、同じ干渉領域幅のまま任意に調整することが可能となる。
【００９３】
また、試料面上での電子線照射角度を制御できる前記機能は、例えば結晶性試料の観察に有効で、結晶方位に依存した電場、磁場分布を観察する目的において、結晶に対する電子線照射角度の微調整が可能である。この干渉縞間隔の調整機能は、実施例１−７に記載のいずれのマスクを、第４の電子線バイプリズムに置き換えても得られる。
【実施例１０】
【００９４】
図１４は、本発明による干渉電子顕微鏡と、二段電子線バイプリズムを組み合わせ、さらに、前記マスクを第４の電子線バイプリズムに置き換えた実施例１０を示す模式図である。実施例１０の干渉電子顕微鏡は、第１の照射電子レンズ、第２の照射電子レンズ、第４の電子線バイプリズム、第１の電子線バイプリズム、第３の照射電子レンズ、試料、対物レンズ、第３の電子線バイプリズム、拡大レンズ、第２の電子線バイプリズムの順に構成される。
【００９５】
すなわち、実施例６と結像系の二段バイプリズムを組み合わせ、マスクを電子線バイプリズムに置き換えた干渉電子顕微鏡の模式本実施例は、組み合わせの一例を示すものであり、この模式図に記載の形態に限るものではない。二段電子線バイプリズムは、特許文献１、特許文献３に記載されているので、ここでは説明は省略する。
【００９６】
図１４は実施例６と二段電子線バイプリズムを組み合わせた実施例８に記載のマスクを第４の電子線バイプリズムに置き換えた実施例１０の模式図である。装置構成は実施例６、８と類似しているため、実施例６、８と同じ部分の記載は省略する。
【００９７】
第２の照射電子レンズ４と第３の照射電子レンズ３２の間に配置された、第４の電子線バイプリズム３１の作る影に、第１の電子線バイプリズム１２が配置され、照射レンズの作用により、第４の電子線バイプリズム３１は試料面上に結像される。この際、試料面上に第４の電子線バイプリズム３１からも第１の電子線バイプリズム１２からも、フレネル縞は発生しない。
【００９８】
本実施例の構成により、第１の電子線バイプリズムは第１の領域（試料）を透過する電子線７と第２の領域を通過する電子線８の試料面上での位置を制御する一方、第４の電子線バイプリズムは第１の領域（試料）を透過する電子線７と第２の領域を通過する電子線８の試料面上での照射角度を制御する機能を持つ。
【００９９】
試料面上での電子線照射角度を制御できる前記機能は、例えば結晶性試料の観察に有効で、結晶方位に依存した電場、磁場分布を観察する目的において、結晶に対する電子線照射角度の微調整が可能である。
【０１００】
対物レンズ５と拡大レンズ９の間に、対物レンズ５の作用により試料の像が結像される像面に第３の電子線バイプリズム４１の電極フィラメントが配置され、拡大レンズ９と拡大レンズ９の作用により結像される像面の間の、第３の電子線バイプリズム４１の作る影の位置に第２の電子線バイプリズム１０が配置される。
【０１０１】
第２の電子線バイプリズム１０、第３の電子線バイプリズム４１へ印加する電圧をコントロールすることにより、電子線干渉縞間隔、干渉領域の幅を任意に制御することが可能となる。
【０１０２】
本実施例では前記機能の組み合わせにより、電子線を試料に照射する位置の制御、照射する電子線の試料に対する角度、電子線干渉縞間隔、干渉領域の幅をそれぞれ制御することが可能となる。
【０１０３】
なお、本実施例は一例であり、実施例１−７のどれと二段電子線バイプリズムを組み合わせ、さらに、マスクを第４の電子線バイプリズムに置き換えても本実施例に記載の、効果が得られる。
【０１０４】
以上説明した本発明は上記した実施例に限定されるものではなく、様々な変形例が含まれる。例えば、上記した実施例は本発明を分かりやすく説明するために詳細に説明したのであり、必ずしも説明の全ての構成を備えるものに限定されものではない。
【０１０５】
また、ある実施例の構成の一部を他の実施例の構成に置き換えることが可能であり、また、ある実施例の構成に他の実施例の構成を加えることが可能である。また、各実施例の構成の一部について、他の構成の追加・削除・置換をすることが可能である。
【０１０６】
また、上記の制御系の各構成、機能等は、それらの一部又は全部を、例えば集積回路で設計する等によりハードウェアで実現してもよい。また、上記の制御系の各構成、機能等は、ＣＰＵ等でプログラムを実行することにより実現する場合を例示して説明したが、各機能を実現するプログラム、ファイル等の情報はメモリのみならず、ハードディスク等の記録媒体におくことができる。
【産業上の利用可能性】
【０１０７】
以上説明した、本願発明の干渉電子顕微鏡は、電子線干渉装置、電子線ホログラフィー装置に実用化され、本願発明をこれらの装置にて実施することにより、ナノ構造の解析と、ナノスケールの構造が有する磁場や電場の観察、材料中の電子スピンの分布などを自在に観察することが出来るようになり、半導体、磁石、スピントロニクスなどの材料の基礎研究およびその応用開発に活用できると期待される。
【符号の説明】
【０１０８】
１  電子源
２  電子線
３  第１の照射電子レンズ
４  第２の照射電子レンズ
５  対物レンズ
６  試料
７  第１の領域を通過する電子線
８  第２の領域を通過する電子線
９  拡大レンズ
１０  第２の電子線バイプリズム
１１  観察面
１２  第１の電子線バイプリズム
１３  第一引き出し電極
１４  第二引き出し電極
１５  加速電極
１６  第１の電子源
１７  対物レンズ直下の第２の電子源面
１８  電子光学上の電子源面
１９  電子光学上の第１の電極フィラメント面
２０  電子光学上の試料面
２１  電子光学上の電子源
２２  電子光学上の第１の電子線バイプリズム
２６  電子光学上の電子源から電子光学上の第１の電極フィラメント面までの距離
２７  電子光学上の第１の電極フィラメントから電子光学上の試料面までの距離
２８  電子光学上の電子源から電子光学上の試料面までの距離
２９  マスク
３０  電子光学上のマスク
３１  第４の電子線バイプリズム
３２  第３の照射電子レンズ
３３  顕微鏡本体
３４  制御ＰＣ
３５  モニタ
３６  試料微動機構
３７  電子線検出器
３８  制御系
３９  加速管
４０  電子光学上の電子源の大きさ
４１  第３の電子線バイプリズム
４２  対物レンズの物面
４３  マスク
１０１  電子源
１０２  電子源の大きさ
１０３  電子源から試料面までの距離
１０４  試料面
【図１Ａ】
0006051596.tif 000013
【図１Ｂ】
0006051596.tif 000014
【図２】
0006051596.tif 000015
【図３】
0006051596.tif 000016
【図４】
0006051596.tif 000017
【図５】
0006051596.tif 000018
【図６】
0006051596.tif 000019
【図７】
0006051596.tif 000020
【図８】
0006051596.tif 000021
【図９】
0006051596.tif 000022
【図１０】
0006051596.tif 000023
【図１１】
0006051596.tif 000024
【図１２】
0006051596.tif 000025
【図１３】
0006051596.tif 000026
【図１４】
0006051596.tif 000027